(57)【要約】【課題】移動通信システムにおけるＨＬＲのシステム再開後に携帯端末機の位置情報を速やかに復旧でき、また、着信時の呼接続損失を少なくすることができるホームロケーションレジスタ位置情報復旧方法を提供する。【解決手段】ＨＬＲに、カレント位置情報に加えて、最滞在位置情報および直前滞在位置情報、Ｌａｓｔ　Ａｃｃｅｓｓ時刻を所定規則で蓄積・保持するととともに再開フラグを実装し、前記カレント位置情報と最滞在位置情報および直前滞在位置情報を適宜手段により随時バックアップしておく。位置問い合わせ処理に対して、ＨＬＲ障害後のシステム再開後には、所定再開中フラグ状態ならば、応答が得られるまで順次、カレント位置情報、最滞在位置情報および直前滞在位置情報それぞれに基づいて所定在圏ロケーションレジスに信号を送信し、応答が得られたものをカレント位置情報に登録する。【選択図】図２
2004080451.tif 000002
【特許請求の範囲】
【請求項１】
移動通信システムにおいて携帯端末機毎の位置情報を登録・保持するホームロケーションレジスタ（ＨＬＲ）の、障害後の位置情報復旧方法であって、
前記ＨＬＲに、個々の携帯端末機に対応した既存のカレント位置情報に加えて、直前滞在位置情報を蓄積・保持するととともに携帯端末機毎の再開フラグを実装し、
前記カレント位置情報と直前滞在位置情報を適宜手段により随時バックアップしておき、
定常時はＨＬＲが、携帯端末位置変更処理時に、当該携帯端末機の直前滞在位置情報を旧直前滞在位置情報に、カレント位置情報を直前滞在位置情報に、そして新しい位置情報をカレント位置情報に更新し、更に、カレント位置情報と直前滞在位置情報が等しいか否かを判定し、等しい場合にはカレント位置情報を最滞在位置情報として記憶し、
また、前記ＨＬＲは、端末位置問い合わせ処理に対して、定常時には自身の保持する当該携帯端末機のカレント位置情報に基づく応答を返送するが、
ＨＬＲ障害後のシステム再開後には、前記ＨＬＲが端末位置問い合わせ処理に対応して、当該端末に対応する前記再開中フラグが位置未特定を示している場合には、応答が得られるまで順次、カレント位置情報に基づく所定在圏ロケーションレジスＶＬＲと、直前滞在位置情報に基づく所定在圏ロケーションレジスＶＬＲにＣａｎｃｅｌ　Ｌｏｃａｔｉｏｎ　信号を送信し、
応答が得られた在圏ロケーションレジスＶＬＲをカレント位置情報に登録するとともに前記再開中フラグを位置特定済みに変更する、ことを特徴とするホームロケーションレジスタ位置情報復旧方法。
【請求項２】
移動通信システムにおいて携帯端末機毎の位置情報を登録・保持するホームロケーションレジスタ（ＨＬＲ）の、障害後の位置情報復旧方法であって、
前記ＨＬＲに、個々の携帯端末機に対応した既存のカレント位置情報に加えて、最滞在位置情報、Ｌａｓｔ　Ａｃｃｅｓｓ時刻を蓄積・保持するととともに携帯端末機毎の再開フラグを実装し、
前記カレント位置情報と最滞在位置情報を適宜手段により随時バックアップしておき、
定常時はＨＬＲが、携帯端末位置変更処理時に、当該携帯端末機の直前滞在位置情報を旧直前滞在位置情報に、カレント位置情報を直前滞在位置情報に、そして新しい位置情報をカレント位置情報に更新し、更に、カレント位置情報と直前滞在位置情報が等しいか否かを判定し、等しくない場合には、今回の位置問い合わせの時刻と前回の位置問い合わせの時刻とを比較し、差分が一定時間以内の場合には、所定の予測位置情報を前記最滞在位置情報として更新記憶・保持し、
また、前記ＨＬＲは、端末位置問い合わせ処理に対して、定常時には自身の保持する当該携帯端末機のカレント位置情報に基づく応答を返送するが、
ＨＬＲ障害後のシステム再開後には、前記ＨＬＲが端末位置問い合わせ処理に対応して、当該端末に対応する前記再開中フラグが位置未特定を示している場合には、応答が得られるまで順次、カレント位置情報に基づく所定在圏ロケーションレジスＶＬＲと、最滞在位置情報に基づく所定在圏ロケーションレジスＶＬＲに基づく所定在圏ロケーションレジスＶＬＲにＣａｎｃｅｌ　Ｌｏｃａｔｉｏｎ　信号を送信し、応答が得られた在圏ロケーションレジスＶＬＲをカレント位置情報に登録するとともに前記再開中フラグを位置特定済みに変更する、ことを特徴とするホームロケーションレジスタ位置情報復旧方法。
【請求項３】
移動通信システムにおいて携帯端末機毎の位置情報を登録・保持するホームロケーションレジスタ（ＨＬＲ）の、障害後の位置情報復旧方法であって、
前記ＨＬＲに、個々の携帯端末機に対応した既存のカレント位置情報に加えて、最滞在位置情報および直前滞在位置情報、Ｌａｓｔ　Ａｃｃｅｓｓ時刻を蓄積・保持するととともに携帯端末機毎の再開フラグを実装し、
前記カレント位置情報と最滞在位置情報および直前滞在位置情報を適宜手段により随時バックアップしておき、
定常時はＨＬＲが、携帯端末位置変更処理時に、当該携帯端末機の直前滞在位置情報を旧直前滞在位置情報に、カレント位置情報を直前滞在位置情報に、そして新しい位置情報をカレント位置情報に更新し、更に、カレント位置情報と直前滞在位置情報が等しいか否かを判定し、等しい場合にはカレント位置情報を最滞在位置情報として記憶し、もし、カレント位置情報と直前滞在位置情報が等しくない場合には、今回の位置問い合わせの時刻と前回の位置問い合わせの時刻とを比較し、差分が一定時間以内の場合には、所定の予測位置情報を前記最滞在位置情報として更新記憶・保持し、
また、前記ＨＬＲは、端末位置問い合わせ処理に対して、定常時には自身の保持する当該携帯端末機のカレント位置情報に基づく応答を返送するが、
ＨＬＲ障害後のシステム再開後には、前記ＨＬＲが端末位置問い合わせ処理に対応して、当該端末に対応する前記再開中フラグが位置未特定を示している場合には、応答が得られるまで順次、カレント位置情報に基づく所定在圏ロケーションレジスＶＬＲと、最滞在位置情報に基づく所定在圏ロケーションレジスＶＬＲおよび直前滞在位置情報に基づく所定在圏ロケーションレジスＶＬＲにＣａｎｃｅｌ　Ｌｏｃａｔｉｏｎ　信号を送信し、
応答が得られた在圏ロケーションレジスＶＬＲをカレント位置情報に登録するとともに前記再開中フラグを位置特定済みに変更する、ことを特徴とするホームロケーションレジスタ位置情報復旧方法。
【請求項４】
前記カレント位置情報と直前滞在位置情報を比較し等しくない場合には、今回の位置問い合わせの時刻と前回の位置問い合わせの時刻の差分が一定時間以内の場合には、旧直前滞在位置情報と前記直前滞在位置情報とカレント位置情報とに基づき決まるエリアを前記最滞在位置情報として更新することを特徴とする請求項２または請求項３のいずれかに記載のホームロケーションレジスタ位置情報復旧方法。
【請求項５】
請求項４における前記最滞在位置情報の決定に、予め保持した旧直前滞在位置情報と前記直前滞在位置情報とカレント位置情報のそれぞれの値（エリア）により決まる前記カレント位置情報の隣接エリアを対応づけた最滞在位置情報検索テーブルを用いることを特徴とする請求項４に記載のホームロケーションレジスタ位置情報復旧方法。
【発明の詳細な説明】
【０００１】
【発明の属する技術分野】
本発明は移動通信システムの位置登録方法に係り、特に、携帯端末機の位置情報等を記憶、管理するホームロケーションレジスタ（ＨＬＲ）が障害からの復旧時に消失した位置情報を再登録する方法に関する。
【０００２】
【従来の技術】
ＧＳＭ　および３Ｇ　等の移動通信システムにおいて、基地局は位置登録エリア番号などの共通情報をセル内の携帯端末機に報知し、携帯端末機では該報知情報を参照することで、異なる位置登録エリアへ移動したかを監視し、移動があった場合には位置登録信号を基地局を介して移動通信交換局に送信する。移動通信交換局では、位置登録信号に基づいて当該携帯端末機の加入者データや同端末の在圏エリアを示す位置情報（以下、ユーザ端末位置情報という）などをホームロケーションレジスタ（Ｈｏｍｅ　Ｌｏｃａｔｉｏｎ　Ｒｅｓｉｓｔｅｒ；以下、ＨＬＲとも記す）に登録する。
【０００３】
図８に、典型的な移動通信システムの構成の一例を概略ブロック図で示す。この移動通信システムにおいて、携帯端末機ＭＳ１〜ＭＳ６は基地局ＢＳ１〜ＢＳ６との間で双方向の無線通信が可能な端末である。基地局ＢＳ１〜ＢＳ６の各々は夫々を中心とする無線エリアＣ１〜Ｃ６内の携帯端末機ＭＳ１〜ＭＳ６と無線通信可能である。基地局ＢＳ１〜ＢＳ３の各無線エリアＣ１〜Ｃ３は位置登録エリア（または一斉呼出しエリア）Ｎ１´を構成し、また基地局ＢＳ４〜ＢＳ６の各無線エリアＣ３〜Ｃ６は別の位置登録エリア（または一斉呼出しエリア）Ｎ２´を構成している。移動通信交換局ＭＳＣ１〜ＭＳＣ２は移動通信サービスを提供するための呼接続制御、サービス制御等を実現するための機能をもつ交換局であり、交換局ＭＳＣ１は基地局ＢＳ１〜ＢＳ３と、交換局ＭＳＣ２は基地局ＢＳ４〜ＢＳ６と接続されている。関門移動通信交換局ＧＭＳＣは他網から自網内契約加入者への、あるいは自網内ローミング加入者への呼を受ける交換局であり、自網内の移動通信交換局ＭＳＣ１〜ＭＳＣ２と通信回線を介して接続されている。また、関門移動通信交換局ＧＭＳＣは位置情報の照会などを行なえるよう制御信号回線を介してホームロケーションレジスタＨＬＲと接続されている。
【０００４】
ホームロケーションレジスタＨＬＲは、位置登録エリアＮ１，Ｎ２に在圏する携帯端末機ＭＳ１〜ＭＳ６の加入者データや位置情報を格納するデータベースであり、移動通信交換局ＭＳＣ１〜ＭＳＣ２が携帯端末機ＭＳ１〜ＭＳ６からの位置登録信号を受信してレジスタＨＬＲの記憶内容を更新、登録する。携帯端末機ＭＳ１に着信した時、レジスタＨＬＲを参照することにより該着信携帯端末機が在圏する位置登録エリアＮ１内の全基地局ＢＳ１〜ＢＳ３から一斉呼出しが行われる。ＨＬＲ′はホームロケーションレジスタＨＬＲの内容をバックアップするメモリである。
【０００５】
図９を参照して上述移動無線通信における位置登録および着信手順の概略を説明する。基地局ＢＳ１〜ＢＳ３は携帯端末機ＭＳ１〜ＭＳ３に対して位置登録のための情報等を報知情報により通知している。この状態で位置登録エリアＮ１に在圏していた携帯端末機ＭＳ３（図８参照）が、図９の位置登録処理説明図に示すように位置登録エリアＮ２へ移動すると、携帯端末機ＭＳ３は基地局ＢＳ４〜ＢＳ６からの報知情報により位置登録エリアの変更を検出する。これにより、移動局ＭＳ３は位置登録信号を送出する。この位置登録信号は基地局ＢＳ４〜ＢＳ６のいずれかを介して移動通信交換局ＭＳＣ２に送られる。移動通信交換局ＭＳＣ２は、位置登録信号を受信すれば認証手順を実行する。認証結果が正常であれば、ホームロケーションレジスタＨＬＲに位置登録を指示して自交換局へのルーチング番号および位置情報の登録を行ない、また、携帯端末機ＭＳに位置登録受付信号を返送する。
【０００６】
ホームロケーションレジスタＨＬＲは交換局ＭＳＣ２から位置登録が指示されると、ルーチング番号と携帯端末機ＭＳ３が在圏する位置登録エリアを示す位置情報を登録する。以上により、携帯端末機が別の位置登録エリアへ移動したときの、位置登録が終了する。
【０００７】
また、携帯端末機ＭＳ３に着信があれば、関門移動通信交換機ＧＭＳＣは受信ダイヤル番号より携帯端末機ＭＳ３の加入者番号（携帯端末機番号）を抽出し、該加入者番号に基づいてレジスタＨＬＲ　から携帯端末機ＭＳ３の位置情報（ルーチング番号）を読み出し、該ルーチング番号で示される移動通信交換局ＭＳＣ２へ回線設定を行う。これにより、移動通信交換局ＭＳＣ２は位置登録エリアＮ２´内の全基地局ＢＳ４〜ＢＳ６に指示して一斉呼出しを行わせる。一斉呼出しにより、携帯端末機ＭＳ３は応答信号を基地局を介して移動通信交換局ＭＳＣ２へ送信する。この応答信号により、移動通信交換局ＭＳＣは周知の手順で空き通信チャネルを設定し、回線接続を行う。以上により、携帯端末機がどこに移動しても、携帯端末機の在圏する位置登録エリアの位置情報がホームロケーションレジスタＨＬＲに更新登録されるため、携帯端末機への他網の発信者からの着信が可能になる。
【０００８】
ところで、ホームロケーションレジスタＨＬＲの故障など何らかの原因でレジスタＨＬＲの復旧・再開が行われると、記憶内容がすべてリセットされてしまう。このため、保守局がある時間単位でレジスタＨＬＲの内容をバックアップメモリＨＬＲ′にバックアップし、ＨＬＲ再開時にはこのバックアップ情報を用いてホームロケーションレジスタＨＬＲに位置情報を復元している。しかし、復元される位置情報は復元時刻（現時刻）より過去の位置情報であるため、現時刻の携帯端末機の実際の位置に応じた正しい位置情報が復元されない。
【０００９】
この場合、ＨＬＲで保持しているユーザ端末位置情報のバックアップデータは、データを保持するための処理時間に遅延（タイムラグ）があるため、すべての端末の位置情報を正しく反映していないことがある（モバイルロスト）。このように一時的障害でＨＬＲが該バックアップデータからデータ復旧する場合、レジスタＨＬＲに復元された携帯端末機の位置情報とＨＬＲ再開後の携帯端末機の現状の端末位置との相違は、着信時の呼接続損失となる。
【００１０】
レジスタＨＬＲの登録位置情報を正しくするは、（ａ）　携帯端末機からの位置登録発信を待つか、（ｂ）　位置登録エリアの変更による携帯端末機からの位置登録信号を待つか、（ｃ）　エアプロトコル上、位置登録要求用の特別なメッセージを用意することにより、携帯端末機に位置登録を実施させるかによる。
【００１１】
上記（ａ）　，（ｂ）　の方法による同期では、位置情報を速やかにホームロケーションレジスタＨＬＲに復旧できない問題がある。また、ＨＬＲ復旧後のリセットメッセージを各関連ノードに送出したあとも、自ネットワークに存在する端末の同期完了まで、２４Ｈ程度の時間を費やす場合がある。
【００１２】
この点に対処すべく、特開平１１−２３４７２９号公報（「移動無線通信システムの位置登録方法」）は、障害等によりホームロケーションレジスタＨＬＲから携帯端末機の位置情報が消失した時、位置情報を速やかに、かつ、正確にレジスタＨＬＲに登録して復旧するための技術を開示している。同技術では、ＨＬＲの障害後、移動無線端末の再登録処理を行うことで、携帯端末機の位置情報を速やかに且つ正確にホームロケーションレジスタに登録して復旧するようにしており、特にこの再登録処理に際して自端末番号の末尾番号にしたがって間引きすることにより、ネットワークへの影響を少なくするようにしている。
【００１３】
また、特開２０００−２２４６４２号公報（「移動通信システムの契約情報の復旧方法」）も、ロケーションレジスタ（ホームロケーションレジスタ；ＨＲＬまたは在圏ロケーションレジスタ；ＶＬＲ（Ｖｉｓｉｔｅｄ　Ｌｏｃａｔｉｏｎ　Ｒｅｇｉｓｔｅｒ））の蓄積しているユーザ契約情報が、障害により失われた場合の復旧方法を開示しており、契約情報を他のロケーションレジスタに蓄積しておき、かつ、蓄積先ロケーションレジスタを示すデータを持っていることにより、契約情報を復旧する技術を開示している。
【００１４】
従来の移動通信システムにおいては、ＨＬＲの保持データの復旧に関して次のような問題点を有している。すなわち、ＨＬＲで保持している携帯端末機の位置情報バックアップデータは、（ローカルな多重化であれ、別の場所に多重化データを持つ方式であれ）タイムラグがあるためすべての携帯端末機の位置情報を正しく復旧できない。ＨＬＲでは、復旧後に各端末の位置情報の同期を保証するためには、最大２４時間程度を要し、その間にはモバイルロストが発生する。同期していない端末を特定できたとしても、代替位置情報を提供できない。
【００１５】
【発明が解決しようとする課題】
従って、本発明は、上記問題点に対処すべくなされたもので、ＨＬＲシステム再開後に、位置情報の再登録処理なしで携帯端末機の位置情報を速やかに復旧でき、また、着信時の呼接続損失を少なくすることを目的としている。
【００１６】
【課題を解決するための手段】
課題解決のため、請求項１の発明では、移動通信システムにおいて携帯端末機毎の位置情報を登録・保持するホームロケーションレジスタ（ＨＬＲ）の、ホームロケーションレジスタ位置情報復旧方法において、前記ＨＬＲに、個々の携帯端末機に対応した既存のカレント位置情報に加えて、直前滞在位置情報を蓄積・保持するととともに携帯端末機毎の再開フラグを実装し、また、前記カレント位置情報と直前滞在位置情報を適宜手段により随時バックアップしておき、定常時はＨＬＲが、携帯端末位置変更処理時に、当該携帯端末機の直前滞在位置情報を旧直前滞在位置情報に、カレント位置情報を直前滞在位置情報に、そして新しい位置情報をカレント位置情報に更新し、更に、カレント位置情報と直前滞在位置情報が等しいか否かを判定し、等しい場合にはカレント位置情報を最滞在位置情報として記憶し、また、前記ＨＬＲは、端末位置問い合わせ処理に対して、定常時には自身の保持する当該携帯端末機のカレント位置情報に基づく応答を返送するが、ＨＬＲ障害後のシステム再開後には、前記ＨＬＲは端末位置問い合わせ処理に対応して、当該端末に対応する前記再開中フラグが位置未特定を示している場合には、応答が得られるまで順次、カレント位置情報に基づく所定在圏ロケーションレジスＶＬＲと、直前滞在位置情報に基づく所定在圏ロケーションレジスＶＬＲにＣａｎｃｅｌ　Ｌｏｃａｔｉｏｎ　信号を送信し、応答が得られた在圏ロケーションレジスＶＬＲをカレント位置情報に登録するとともに前記再開中フラグを位置特定済みに変更する。これにより、着信時の呼接続損失を少なくすることができる。
【００１７】
請求項２の発明では、移動通信システムにおいて携帯端末機毎の位置情報を登録・保持するホームロケーションレジスタ（ＨＬＲ）の、ホームロケーションレジスタ位置情報復旧方法において、前記ＨＬＲに、個々の携帯端末機に対応した既存のカレント位置情報に加えて、最滞在位置情報、Ｌａｓｔ　Ａｃｃｅｓｓ時刻を蓄積・保持するととともに携帯端末機毎の再開フラグを実装し、前記カレント位置情報と最滞在位置情報を適宜手段により随時バックアップしておき、定常時はＨＬＲが、携帯端末位置変更処理時に、当該携帯端末機の直前滞在位置情報を旧直前滞在位置情報に、カレント位置情報を直前滞在位置情報に、そして新しい位置情報をカレント位置情報に更新し、更に、カレント位置情報と直前滞在位置情報が等しいか否かを判定し、等しくない場合には、今回の位置問い合わせの時刻と前回の位置問い合わせの時刻とを比較し、差分が一定時間以内の場合には、所定の予測位置情報を前記最滞在位置情報として更新記憶・保持し、また、前記ＨＬＲは、端末位置問い合わせ処理に対して、定常時には自身の保持する当該携帯端末機のカレント位置情報に基づく応答を返送するが、ＨＬＲ障害後のシステム再開後には、前記ＨＬＲが端末位置問い合わせ処理に対応して、当該端末に対応する前記再開中フラグが位置未特定を示している場合には、応答が得られるまで順次、カレント位置情報に基づく所定在圏ロケーションレジスＶＬＲと、最滞在位置情報に基づく所定在圏ロケーションレジスＶＬＲに基づく所定在圏ロケーションレジスＶＬＲにＣａｎｃｅｌ　Ｌｏｃａｔｉｏｎ　信号を送信し、応答が得られた在圏ロケーションレジスＶＬＲをカレント位置情報に登録するとともに前記再開中フラグを位置特定済みに変更する。これにより、やはり着信時の呼接続損失を少なくすることができる。
【００１８】
請求項３の発明では、移動通信システムにおいて携帯端末機毎の位置情報を登録・保持するホームロケーションレジスタ（ＨＬＲ）の、ホームロケーションレジスタ位置情報復旧方法において、前記ＨＬＲに、個々の携帯端末機に対応した既存のカレント位置情報に加えて、最滞在位置情報および直前滞在位置情報、Ｌａｓｔ　Ａｃｃｅｓｓ時刻を蓄積・保持するととともに携帯端末機毎の再開フラグを実装し、前記カレント位置情報と最滞在位置情報および直前滞在位置情報を適宜手段により随時バックアップしておき、定常時はＨＬＲが、携帯端末位置変更処理時に、当該携帯端末機の直前滞在位置情報を旧直前滞在位置情報に、カレント位置情報を直前滞在位置情報に、そして新しい位置情報をカレント位置情報に更新し、更に、カレント位置情報と直前滞在位置情報が等しいか否かを判定し、等しい場合にはカレント位置情報を最滞在位置情報として記憶し、もし、カレント位置情報と直前滞在位置情報が等しくない場合には、今回の位置問い合わせの時刻と前回の位置問い合わせの時刻とを比較し、差分が一定時間以内の場合には、所定の予測位置情報を前記最滞在位置情報として更新記憶・保持し、また、前記ＨＬＲは、端末位置問い合わせ処理に対して、定常時には自身の保持する当該携帯端末機のカレント位置情報に基づく応答を返送するが、ＨＬＲ障害後のシステム再開後には、前記ＨＬＲが端末位置問い合わせ処理に対応して、当該端末に対応する前記再開中フラグが位置未特定を示している場合には、応答が得られるまで順次、カレント位置情報に基づく所定在圏ロケーションレジスＶＬＲと、最滞在位置情報に基づく所定在圏ロケーションレジスＶＬＲおよび直前滞在位置情報に基づく所定在圏ロケーションレジスＶＬＲにＣａｎｃｅｌ　Ｌｏｃａｔｉｏｎ　信号を送信し、応答が得られた在圏ロケーションレジスＶＬＲをカレント位置情報に登録するとともに前記再開中フラグを位置特定済みに変更する。これにより、着信時の呼接続損失を少なくすることができる。
【００１９】
また、請求項４の発明は、請求項２または３のいずれかに記載のホームロケーションレジスタ位置情報復旧方法において、前記カレント位置情報と直前滞在位置情報を比較し等しくない場合には、今回の位置問い合わせの時刻と前回の位置問い合わせの時刻の差分が一定時間以内の場合には、旧直前滞在位置情報と前記直前滞在位置情報とカレント位置情報とに基づき決まるエリアを前記最滞在位置情報として更新する。これにより、高速移動している携帯端末に対しても着信時の呼接続損失を少なくする請求項５の発明では、請求項４のホームロケーションレジスタ位置情報復旧方法において請求項４における前記最滞在位置情報の決定に、予め保持した旧直前滞在位置情報と前記直前滞在位置情報とカレント位置情報のそれぞれの値（エリア）により決まる前記カレント位置情報の隣接エリアを対応づけた最滞在位置情報検索テーブルを用いることを特徴とする。
【００２０】
【発明の実施の形態】
〔実施例〕以下、図面を参照して本発明の実施例について詳細に説明する。図１は、本発明に係る移動通信システムの一実施例を示す概略ブロック図である。
なお、この図１の構成は、先の図８と同様であるが、ホームロケーションレジスタ（ＨＬＲ）が蓄積する、携帯端末機についての位置情報データベースの内容およびこのデータベースに対するバックアップの内容が異なっている。図１中で、図８と対応部分には、同じ符号を付してある。以下の説明では既述部分の繰り返しての説明は省略し、本発明に関係の深い部分についてのみ説明する。
【００２１】
図２は、実施例におけるＨＬＲでの携帯端末機に関するデータベースＤＢのフィールド構成の関連要部を説明する図である。通常時に関門移動通信交換局ＧＭＳＣからの位置登録情報問い合わせに応答するための既存のカレント位置情報１０１　に加え、復旧時に使用される再開中フラグ１０２　、最滞在位置情報１０３　、直前滞在位置情報１０４　、およびＬａｓｔ　Ａｃｃｅｓｓ時刻情報１０５　を付加的に記録・保持するとともに、適宜手段によりこれらの情報のバックアップを保持する。これらの情報に基づき、ＨＬＲでの障害発生後に発生する着信において、位置情報問い合わせへの対応をカレント位置情報、最滞在位置情報、直前滞在位置情報と３回施行することにより、３倍の確度で行う。
【００２２】
このように実施例のシステムでは、ＨＬＲに復旧のための位置情報として上記の４つのフィールドを追加し、再開中フラグを除く位置情報の各フィールドを適宜バックアップ手段に退避しておく。このバックアップ手段は、ＨＬＲに設けてもよいし、別な場所に持つようにしてもよい。以下に、追加フィールドとその意義をまとめて示す。
・再開中フラグ　　…ＨＬＲ再開を示すフラグ
・最滞在位置情報　…何度か繰り返して滞在している情報位置
・直前滞在位置情報…移動直前に滞在していた情報位置
・Ｌａｓｔ　Ａｃｃｅｓｓ時刻…直近に位置情報の更新を行った時刻
【００２３】
〔追加フィールドの機能〕上記各追加フィールドの機能を以下に示す。
・再開中フラグ：　ＨＬＲの一時的障害でバックアップデータを利用する必要が生じた場合、該当ＨＬＲに収容される全端末（加入者）データに１を設定する。
その後、ＭＡＰ　Ｕｐｄａｔｅ　Ｌｏｃａｔｉｏｎを受信した端末、および最滞在位置情報の検証処理（最滞在位置情報に後述）を適用した端末に関し、当該フラグを０に戻し、信頼できるカレント位置情報を確保できたと確認することができる。
・最滞在位置情報、直前滞在位置情報：　該再開中フラグが１の端末に対するＳｅｎｄ　Ｒｏｕｔｉｎｇ　Ｉｎｆｏｒｍａｔｉｏｎ（以降ＳＲＩ　という）の問い合わせが来た場合、ＳＲＩ　Ａｃｋ　にてカレント位置情報を送出する前に、後述する本発明のシーケンスのオペレーションを、カレント位置情報（既存フィールド）、最滞在位置情報、および直前滞在位置情報にぞれぞれ適用する。
・Ｌａｓｔ＿Ａｃｃｅｓｓ時刻：　本発明でのＵｐｄａｔｅ　Ｌｏｃａｔｉｏｎ（以降ＵＬという）受信後、最滞在位置情報、直前滞在位置情報、カレント位置情報（既存）の更新処理を行った時刻を時分秒情報として更新する。続いて、図を用いて実施例の動作について説明する。
【００２４】
〔フィールド情報設定の原則〕本発明で追加されるデータベースフィールド“最滞在位置情報”、“直前滞在位置情報”の設定については、ＨＬＲにてＵＬ（　ＵｐｄａｔｅＬｏｃａｔｉｏｎ）を受信した際に、これら最滞在位置情報、直前滞在位置情報の更新を行う。なお、全加入者データベースの追加フィールドの初期値はＮｕｌｌとする。実施例では更新処理により、短期間に移動し続けている端末に対し、次の位置情報を予想し、ＨＬＲの一時障害によるダウンの直後でも、モバイルロストを減らす工夫がなされている。
【００２５】
実施例における携帯端末位置変更処理を具体的に説明する。図３は、携帯端末機が各エリア間を移動した場合の一例を表す説明図であり、図３のエリア配置に対応させてフィールド（１）　〜フィールド（４）　で構成された、図４に示すような、検索用テーブルが用意されている。図５は、携帯端末位置変更処理を説明した図である。
【００２６】
図５によれば、実施例のＨＬＲは、在圏ロケーションレジスタＶＬＲ（例では移動先のＶＬＲ（ｎ））からＵＬを受けると、原則として直前滞在位置情報１０４　を旧直前滞在位置情報に、ＵＬ受信以前のカレント位置情報１０１　を直前滞在位置情報１０４　に、そして新しい位置情報をカレント位置情報１０１　として更新する。そして更に、カレント位置情報１０１　と直前滞在位置情報１０４　が等しいか否かを判定し、等しい場合にはカレント位置情報１０１　を最滞在位置情報１０３　として記憶する。
【００２７】
〔推定位置の予測〕一方、カレント位置情報１０１　と直前滞在位置情報１０４　が等しくない場合には、ＵＬ受信時の受信時刻とＬａｓｔ　Ａｃｃｅｓｓ時刻１０５　（前回のＵＬ受信時刻）とのタイムスタンプを比較し差を算出して、差分が一定時間以内（例えば３０分以内）の場合には、地理的に移動しているロケーション（位置情報）を予知する（直前滞在情報１０４　から、カレント位置情報１０１　への延長上にあると仮定）。すなわち、図７のシステム再開後端末呼出しシーケンスにおいて、図３に示す如きエリアの配置情報に基づいて用意された前記最滞在位置情報検索用テーブル２００　（図４）を用いて、ＵＬ受信時に得られたフィールド１（旧直前滞在位置情報）、フィールド２（直前滞在位置情報）、およびフィールド３（カレント位置情報）に基づきこれらに対応して検索されるフィールド４（最滞在位置情報に設定する値）を求め、このフィールド４の出力情報を最滞在位置情報１０３　として更新記憶・保持する。
【００２８】
例えば、図３において、携帯端末機が、エリアＮ１　−＞　Ｎ３　−＞　Ｎ８の様に高速で移動すると仮定する。この場合、上述した本発明のフィールド情報設定の原則に従えば、携帯端末機がＮ８のエリアに入った時に、高速で移動するという条件で無い場合には、ＨＬＲの情報は、
・カレント位置情報　＝　Ｎ８、
・最滞在位置情報　＝　Ｎ１（仮にＮ１とする）、
・直前滞在位置情報＝　Ｎ３、となる。
【００２９】
しかし、前述したような短時間で移動したという条件に相当する場合は、図４の最滞在位置情報検索処理により、Ｎ８の延長上であるＮ１１を最滞在位置情報１０３　に設定し、ＨＬＲの情報は、
カレント位置情報　＝　Ｎ８、
最滞在位置情報　＝　Ｎ１１、
直前滞在位置情報＝　Ｎ３、という設定が行われる。
【００３０】
続いて、図６に実施例システムにおける通常時の携帯端末呼出しシーケンス図を、また図７に、システム再開後の携帯端末呼出しシーケンス図を示す。
【００３１】
通常（定常時）の端末位置問い合わせ処理において、ＨＬＲは図６に示すように従来のものと同様に自身が保持しているカレント位置情報（１０１）　１つのみを検索し出力する。すなわち、ＨＬＲは、ＧＭＳＣからの要求ＳＲＩ（Ｓｅｎｄ　Ｒｏｕｔｉｎｇ　Ｉｎｆｏｒｍａｔｉｏｎ）　があると自身が保持している当該携帯端末機のカレント位置情報１０１　に基づき所定のＶＬＲにＰＲＭ（Ｐｒｏｖｉｄ　Ｒｏａｍｉｎｇ　Ｎｕｍｂｅｒ）を送出し、当該ＶＬＲから返されるＰＲＭ　ａｃｋｎｏｗｌｅｄｇｅ　信号に基づき、ＧＭＳＣにＳＲＩ　ａｃｋｎｏｗｌｅｄｇｅ　信号を返送する。
【００３２】
しかし、ＨＬＲ障害があった場合には、実施例システムではシステム再開後の携帯端末呼出し時の端末位置問い合わせ処理において、図７に示す携帯端末呼出しシーケンスを実行する。すなわち、ＨＬＲは、ＧＭＳＣから要求ＳＲＩ　を受信すると、データベースＤＢ中の再開中フラグ１０２　を検証し再開中フラグ１０２　が位置未特定を示す“１”であれば、先ず同データベース中のカレント位置情報（既存）に基づく所定在圏ロケーションレジスＶＬＲ（１）　にＣａｎｃｅｌ　Ｌｏｃａｔｉｏｎ　信号を送信する。そして、３秒以内にＡｃｋ　応答が無い場合あるいはエラーとなった場合には、続いて最滞在位置情報１０３　に基づく所定在圏ロケーションレジスＶＬＲ（２）　にＣａｎｃｅｌ　Ｌｏｃａｔｉｏｎ　信号を送信する。同様に３秒以内にＡｃｋ　応答が無い場合あるいはエラーとなった場合には、更に、直前滞在位置情報１０４　に基づく所定在圏ロケーションレジスＶＬＲ（３）　にＣａｎｃｅｌ　Ｌｏｃａｔｉｏｎ　信号を送信する。
【００３３】
そして、上述過程中で、最初にＡｃｋ　応答が返ってきた在圏ロケーションレジス（図７の例示では、在圏ロケーションレジスＶＬＲ（３）　）の番号をカレント位置情報１０１　に登録するとともに、当該在圏ロケーションレジスＶＬＲ（３）　にＩＳＤ（Ｉｎｓｅｒｔ　Ｓｕｂｓｃｒｉｂｅｒ　Ｄａｔａ）信号を送出し、ＩＳＤ　ａｃｋｎｏｗｌｅｄｇｅ　信号を受け取る。そして、データベースＤＢ中の当該携帯端末機の再開中フラグ１０２　を特定済みを意味する“０”とする。また、ＧＭＳＣにＳＲＩ　ａｃｋｎｏｗｌｅｄｇｅ　信号を返送する。
【００３４】
実施例では図７に示したように、ＨＬＲが携帯端末機に対応する位置情報を３つ持ち、仮にカレント位置情報で正しく無かったとしても、今までに滞在する可能性の高かった位置を２つ余剰に試行する。このような処理により、３倍の確度でモバイルロストを防止することができる。
【００３５】
以上説明した実施例によれば、ＨＬＲ再開後の呼処理損失を従来よりも減らすことができる。これは、既存の位置情報１つだけでなく、最大３つの位置情報で処理を行うからである。また、バックアップを３０分程度と短時間に設計することできる。これは、データのバックアップを媒体に退避する間隔、ＨＬＲ障害発生時の停止時間の長さ、バックアップ媒体からデータ読込みの所要時間、およびＨＬＲ再開のサービス停止時間の合計時間は３０分程度と仮定すれば、復旧後の各携帯端末機の位置はカレント位置情報または隣接位置に存在する確率が高く、また、高速移動中の端末（新幹線移動中など）のモバイルロストの位置推測が可能となり移動中端末に関しても予測を行うことができるからである。
【００３６】
なお、本発明は、上述実施例に限定されることなく、発明の趣旨にそって別な形で適用が可能である。例えば、実施例では、既存のカレント位置に加えて、最滞在位置情報および直前滞在位置情報を所定規則で蓄積・保持するととともに、位置問い合わせ処理に対し、順次、カレント位置情報、最滞在位置情報および直前滞在位置情報それぞれに基づいた在圏ロケーションレジスに信号を送信しているが、情報カレント位置情報に加えて最滞在位置情報あるいは直前滞在位置情報のいずれかのみの在圏ロケーションレジスに付加的に信号を送信するようにしても良い。この場合にも相応の効果が期待できる。また、各位置情報に対応する在圏ロケーションレジスＶＬＲに実施例と異なる順番でアクセスを試行するようにしても良い。
【００３７】
【発明の効果】
本発明の効果は、ＨＬＲの復旧時に、従来のものに比してより呼処理損失を減らせることである。それは、既存の位置情報１つだけでなく、最大３つの位置情報で処理を行っているからである。また、本発明によれば実用上充分なＨＬＲのバックアップを３０分程度で設計することできる。それは、データのバックアップを媒体に退避する間隔、ＨＬＲ障害の復旧のための合計所要時間が３０分程度であれば、復旧後の位置はカレント位置情報または隣接位置に存在する確率が高く、また高速移動（新幹線移動中など）端末のモバイルロストの位置推測が可能であることによる。
【図面の簡単な説明】
【図１】実施例の移動通信システムの概略構成図である。
【図２】実施例のＨＬＲの保持データ構成の説明図である。
【図３】本発明に係る携帯端末機の移動の一例を示す図である。
【図４】一定時間内に行われる位置情報更新での最滞在位置情報検索処理を説明する図である。
【図５】実施例における携帯端末位置変更処理の説明図である。
【図６】実施例における通常の携帯端末呼出し処理のシーケンス図である。
【図７】実施例におけるシステム再開後の携帯端末呼出し処理のシーケンス図である。
【図８】移動通信システムの典型的な概略構成図である。
【図９】端末の移動により位置登録エリアが変化した場合の位置登録説明図である。
【符号の説明】
ＨＬＲ…ホームロケーションレジスタ
ＤＢ…データベース
ＧＭＳＣ…関門移動通信交換局
ＶＬＲ（１），ＶＬＲ（２），ＶＬＲ（３）　…在圏ロケーションレジスタ
ＭＳ１〜ＭＳ６…携帯端末機
ＢＳ１〜ＢＳ６…基地局
Ｃ１〜Ｃ６…無線エリア
Ｎ１，Ｎ２…位置登録エリア（一斉呼出しエリア）
ＭＳＣ１，ＭＳＣ２…移動通信交換局
１０１　…カレント位置情報
１０２　…再開中フラグ
１０３　…最滞在位置情報
１０４　…直前滞在位置情報
１０５　…Ｌａｓｔ＿Ａｃｃｅｓｓ時刻情報
【図１】
2004080451.tif 000003
【図２】
2004080451.tif 000004
【図３】
2004080451.tif 000005
【図４】
2004080451.tif 000006
【図５】
2004080451.tif 000007
【図６】
2004080451.tif 000008
【図７】
2004080451.tif 000009
【図８】
2004080451.tif 000010
【図９】
2004080451.tif 000011